(57)【要約】【課題】  杭基礎の上部に連結される構造物の据付け精度を向上すること。【解決手段】  杭基礎１０の上部に構造物を連結する杭基礎１０の上部連結構造において、杭基礎１０の打設部の周囲に設置される概ね筒状の連結体２０にレベル調整手段３０を設け、レベル調整手段３０により高さ及び水平度が調整された連結体２０と杭基礎１０との間にコンクリート等の充填材２３が充填可能にされ、連結体２０の上部に構造物が連結可能にされるもの。【選択図】  図１
2005139642.tif 000002
【特許請求の範囲】
【請求項１】
杭基礎の上部に構造物を連結する杭基礎の上部連結構造において、
杭基礎の打設部の周囲に設置される概ね筒状の連結体にレベル調整手段を設け、
レベル調整手段により高さ及び水平度が調整された連結体と杭基礎との間にコンクリー
ト等の充填材が充填可能にされ、
連結体の上部に構造物が連結可能にされることを特徴とする杭基礎の上部連結構造。
【請求項２】
前記レベル調整手段が、連結体に対して螺動可能に設けられるアジャストボルトである
請求項１に記載の杭基礎の上部連結構造。
【請求項３】
相隣る杭基礎のそれぞれに設けた連結体同士が基礎梁により接続される請求項１又は２
に記載の杭基礎の上部連結構造。
【請求項４】
請求項１〜３のいずれかに記載の杭基礎の上部連結構造に用いられる連結体。
【発明の詳細な説明】
【技術分野】
【０００１】
本発明は杭基礎の上部連結構造及び連結体に関する。
【背景技術】
【０００２】
杭基礎の上部連結構造として、特許文献１に記載の如く、杭基礎の杭頭に鋼管を被せ付
け、杭頭と鋼管の間に充填材を充填し、鋼管の上部に建物の鉄骨柱等の構造物を連結可能
にしたものがある。
【特許文献１】特開2000-273880
【発明の開示】
【発明が解決しようとする課題】
【０００３】
特許文献１の杭基礎の上部連結構造では、構造物が連結される鋼管の上部閉塞板（ダイ
アフラム）を杭基礎の杭頭に乗せる状態で、鋼管を杭頭に被せ付け、該鋼管と杭頭の間に
充填材が充填される。従って、杭基礎の杭頭の高さや水平度が正確に施工されていないと
、鋼管の上部に連結される構造物の据付け精度に悪影響を与える。
【０００４】
本発明の課題は、杭基礎の上部に連結される構造物の据付け精度を向上することにある
。
【課題を解決するための手段】
【０００５】
請求項１の発明は、杭基礎の上部に構造物を連結する杭基礎の上部連結構造において、
杭基礎の打設部の周囲に設置される概ね筒状の連結体にレベル調整手段を設け、レベル調
整手段により高さ及び水平度が調整された連結体と杭基礎との間にコンクリート等の充填
材が充填可能にされ、連結体の上部に構造物が連結可能にされるようにしたものである。
【０００６】
請求項２の発明は、請求項１の発明において更に、前記レベル調整手段が、連結体に対
して螺動可能に設けられるアジャストボルトであるようにしたものである。
【０００７】
請求項３の発明は、請求項１又は２の発明において更に、相隣る杭基礎のそれぞれに設
けた連結体同士が基礎梁により接続されるようにしたものである。
【０００８】
請求項４の発明は、請求項１〜３のいずれかに記載の杭基礎の上部連結構造に用いられ
る連結体である。
【発明の効果】
【０００９】
（請求項１）
(a)構造物が連結される連結体の高さや水平度を杭基礎の打設部の周囲で、レベル調整
手段により調整した状態で、連結体と杭基礎との間に充填材が充填される。従って、杭基
礎の施工精度に関係なく、連結体の高さや水平度を正確に設定でき、連結体の上部に連結
される構造物の据付け精度を向上できる。
【００１０】
（請求項２）
(b)レベル調整手段としてアジャストボルトを用いることにより、連結体の上方からア
ジャストボルトを螺動操作する簡易な作業により、連結体の高さや水平度を微妙に調整で
きる。
【００１１】
（請求項３）
(c)相隣る杭基礎のそれぞれに設けた連結体同士を基礎梁により接続することにより、
構造物のための基礎の強度を向上できるし、基礎梁の高さや水平度を正確に設定できる。
【００１２】
（請求項４）
(d)連結体を用いることにより、上述(a)〜(c)を実現できる。
【発明を実施するための最良の形態】
【００１３】
図１は杭基礎の上部連結構造を示す断面図、図２は図１のII−II線に沿う矢視図、図３
は図１のIII−III線に沿う矢視図、図４は図１のIV−IV線に沿う断面図、図５は杭基礎の
打設工程を示し、（Ａ）は杭を打設した状態を示す断面図、（Ｂ）は砂利を敷いた状態を
示す断面図、図６は連結体の設置工程を示し、（Ａ）は木桟を敷いた状態を示す断面図、
（Ｂ）は連結体をレベル調整した状態を示す断面図、図７は連結体への充填工程を示し、
（Ａ）は基礎梁の接続状態を示す断面図、（Ｂ）はコンクリート充填状態を示す断面図、
図８はアジャストボルトを示し、（Ａ）は側面図、（Ｂ）は上端面図である。
【実施例】
【００１４】
図１、図２で、１０は基礎杭、２０は連結体、４０は建物１（構造物）のための基礎梁
であり、杭基礎１０の上部に連結体２０、基礎梁４０を介して建物１を連結する。
【００１５】
杭基礎１０は、丸鋼管等からなり、敷地地盤面Ｌを空掘りされた打設部に打ち込まれる
。尚、杭基礎１０の内部には、コンクリート充填範囲を区画する中込めコンクリート用型
枠１０Ａが予め圧入等により強固に挿着される。打設された杭基礎１０の上端側の外周に
は、後述する充填材２３との接合強度を確保するためのジベル筋１１が溶接される。
【００１６】
杭基礎１０の打設部の周囲には、砂利１２が敷かれて転圧され、更に、砂利１２の上に
木桟等の基板１３が敷かれる。
【００１７】
連結体２０は、杭基礎１０の打設部の周囲に設置される概ね筒状をなすべく、杭基礎１
０を囲むことのできる角鋼管等からなり、下端面は全面開口し、上端面にはダイアフラム
板２１を備える。ダイアフラム板２１は、連結体２０の内壁面に溶接した受板２２の上面
に溶接され、４隅にアジャスト用窓２１Ａを切欠き、中央にコンクリート充填孔２１Ｂを
開口している。
【００１８】
連結体２０は、図３、図４に示す如く、内周の４隅にレベル調整手段３０を設けている
。レベル調整手段３０は、図８に示す如く、長尺アジャストボルト３１と、アジャストボ
ルト３１の上下両端のねじ部に螺着したナット３２、３３とからなり、ナット３２、３３
に一体成形し、又は溶接した取付片３２Ａ、３３Ａが連結体２０の内壁４隅の上下２位置
に溶接される。アジャストボルト３１の上端面にはプラス型溝３１Ａが刻設される。アジ
ャストボルト３１の下端部は連結体２０の下端面より突き出して基板１３に突き当て支持
可能にされ、上端部は連結体２０の上端面より内方に位置する。各アジャストボルト３１
は、連結体２１のアジャスト用窓２１Ａから挿入されるプラスドライバーにて螺動操作さ
れ、連結体２０の上端面の地盤面Ｌに対する高さ及び水平度を調整可能にする。
【００１９】
レベル調整手段３０により高さ及び水平度が調整された連結体２０と杭基礎１０との間
に、コンクリート等の充填材２３が充填される。充填材２３は、連結体２０の下端開口か
ら基板１３、砂利１２の周囲に及ぶ。
【００２０】
基礎梁４０は、相隣る杭基礎１０のそれぞれに設けた連結体２０同士を接続する。連結
体２０の外壁面にはＬ形取付板２４が溶接され、基礎梁４０の端部が該取付板２４にボル
ト２５で取付けられる。
【００２１】
連結体２０のダイアフラム板２１の上部には建物１の柱１Ａ又は床梁１Ｂがボルト接合
又は溶接等により固定されて連結される。建物１は基礎梁４０に接合されても良い。
【００２２】
従って、杭基礎１０の上部連結構造は以下の手順で施工される（図５〜図７）。
【００２３】
(1)杭基礎１０の打設部の周囲の地盤面Ｌを空掘りする。
【００２４】
(2)杭基礎１０を打設する（図５（Ａ））。
【００２５】
(3)杭基礎１０のコンクリート充填予定領域に対応する部分の外周にジベル筋１１を溶
接する、又は、予め溶接しておく（図５（Ａ））。
【００２６】
(4)杭基礎１０の周囲の空掘り底面に砂利１２を敷き転圧する（図５（Ｂ））。
【００２７】
(5)砂利１２の上に基板１３を敷く（図６（Ａ））。
【００２８】
(6)基板１３の上に連結体２０を設置する（図６（Ｂ））。
【００２９】
(7)アジャストボルト３１をプラスドライバーで回転させ、その下端が基板１３に突き
当たるようにする（図６（Ｂ））。
【００３０】
(8)アジャストボルト３１を螺動操作し、地盤面Ｌに対する、連結体２０の上端面の高
さ及び水平度を調整する（図６（Ｂ））。
【００３１】
(9)相隣る連結体２０、２０を基礎梁４０で接続する（図７（Ａ））。必要に応じて上
述(8)を再度行なう。尚、上述(6)以前に、相隣る連結体２０、２０を予め基礎梁４０で接
続し、これらの連結体２０、２０を上述(6)で基板１３の上に設置しても良い。
【００３２】
(10)連結体２０のコンクリート充填孔２１Ｂから連結体２０と杭基礎１０の間にコンク
リート等の充填材２３を充填し、硬化させる（図７（Ｂ））。
【００３３】
(11)地盤面Ｌの空掘りを埋め戻す。
これにより、杭基礎１０と、建物１のための基礎となる連結体２０、基礎梁４０が連結
され、建物１の柱１Ａに引抜力が加わると、その力は連結体２０、充填材２３を介して杭
基礎１０に支持される。また、柱１Ａに曲げ力が加わる場合にも、その力が連結体２０、
充填材２３を介して杭基礎１０に支持される。
【００３４】
本実施例によれば以下の作用効果を奏する。
(a)建物１が連結される連結体２０の高さや水平度を杭基礎１０の打設部の周囲で、レ
ベル調整手段３０により調整した状態で、連結体２０と杭基礎１０との間に充填材２３が
充填される。従って、杭基礎１０の施工精度に関係なく、連結体２０の高さや水平度を正
確に設定でき、連結体２０の上部に連結される建物１の据付け精度を向上できる。
【００３５】
(b)レベル調整手段３０としてアジャストボルト３１を用いることにより、連結体２０
の上方からアジャストボルト３１を螺動操作する簡易な作業により、連結体２０の高さや
水平度を微妙に調整できる。
【００３６】
(c)相隣る杭基礎１０のそれぞれに設けた連結体２０同士を基礎梁４０により接続する
ことにより、建物１のための基礎の強度を向上できるし、基礎梁４０の高さや水平度を正
確に設定できる。
【００３７】
(d)連結体２０を用いることにより、上述(a)〜(c)を実現できる。
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００３８】
【図１】図１は杭基礎の上部連結構造を示す断面図である。
【図２】図２は図１のII−II線に沿う矢視図である。
【図３】図３は図１のIII−III線に沿う矢視図である。
【図４】図４は図１のIV−IV線に沿う断面図である。
【図５】図５は杭基礎の打設工程を示し、（Ａ）は杭を打設した状態を示す断面図、（Ｂ）は砂利を敷いた状態を示す断面図である。
【図６】図６は連結体の設置工程を示し、（Ａ）は木桟を敷いた状態を示す断面図、（Ｂ）は連結体をレベル調整した状態を示す断面図である。
【図７】図７は連結体への充填工程を示し、（Ａ）は基礎梁の接続状態を示す断面図、（Ｂ）はコンクリート充填状態を示す断面図である。
【図８】図８はアジャストボルトを示し、（Ａ）は側面図、（Ｂ）は上端面図である。
【符号の説明】
【００３９】
１  建物（構造物）
１０  杭基礎
２０  連結体
２３  充填材
３０  レベル調整手段
３１  アジャストボルト
４０  基礎梁
【図１】
2005139642.tif 000003
【図２】
2005139642.tif 000004
【図３】
2005139642.tif 000005
【図４】
2005139642.tif 000006
【図５】
2005139642.tif 000007
【図６】
2005139642.tif 000008
【図７】
2005139642.tif 000009
【図８】
2005139642.tif 000010